(57)【特許請求の範囲】
【請求項１】
基体シート裏面に施された顕色剤層に、レーザ照射にて選択的に顕色剤が削り取られてなる所定形状の複写不能部が施されてなる感圧複写下用紙。
【請求項２】
複写不能部の形状がマイクロ文字、線条、繰り返し模様などの微細パターンである請求項１記載の感圧複写下用紙。
【請求項３】
所定形状の複写不能部が施された顕色剤層表面所定部に情報複写部を有した請求項１記載の感圧複写下用紙からなる下位帳票と、表面に前記情報複写部に対応した情報記入部を有した感圧複写上用紙からなる上位帳票とを分離可能に綴じ合わせてなる感圧複写帳票。
【発明の詳細な説明】
【０００１】
【発明の属する技術分野】
本発明は、ノーカーボンタイプの感圧複写下用紙および感圧複写帳票に関し、さらに詳しくは、感圧複写上用紙から感圧複写下用紙に複写された情報の改ざんやカラーコピー機などによる偽造の防止に好適に利用できる感圧複写下用紙およびこれを有した感圧複写帳票に関する。
【０００２】
【従来の技術】
従来から、基体シート裏面にクリスタルバイオレットラクトン、ベンゾロイコメチレンブルーなどの電子供与性の発色剤を包含したマイクロカプセル層が施された感圧複写上用紙と、基体シート表面にフェノールホルムアルデヒドレジンや活性白土などの電子受容性の顕色剤層が施された感圧複写下用紙とを組み合わせた感圧複写帳票は公知であり、各種の配送票、申込書、ＤＭなどに好適に利用されている。
【０００３】
【発明が解決しようとする課題】
しかしながら、感圧複写下用紙に複写された情報は、時として、悪意の第三者などにより改ざんされたり、偽造されたりする場合がある。これらは、例えば、複写情報を削り取り、新たに別の感圧複写上用紙をもって改ざん情報を書き加えたり、あるいは高性能のカラーコピー機をもって感圧複写下用紙そのものを偽造することによりなされる場合もある。
【０００４】
そこで、本発明は、このような問題を鑑み、感圧複写下用紙に複写された情報の改ざんやコピー機による偽造を防止させる感圧複写下用紙およびこれを有した感圧複写帳票の提供を目的とする。
【０００５】
【課題を解決するための手段】
近年、レーザに関する技術の発展は目覚ましく、特に、可変マスク、プロッター機構（ＸＹ軸方向移動機構）、ポリゴンミラーなどによってレーザ光を自在に移動・偏向させる技術は、部品製造業の分野、とりわけ金属面へのマーキングなどに多用されており、最近、急速にその技術が発達し、マイクロ文字などのマーキングも可能となっている。
【０００６】
そこで、本発明者は、このレーザ技術に着目し、上記目的を達成するため、レーザ照射により基体シート表面の顕色剤層を選択的に削り取り、所定形状の複写不能部を施してなる新規の感圧複写下用紙を作成し、これを利用することにより改ざんや偽造を困難とさせる感圧複写帳票を提供できることを見いだし、本発明を想到した。
【０００７】
すなわち本発明の感圧複写下用紙は、基体シート裏面に施された顕色剤層に、レーザ照射にて選択的に顕色剤が削り取られてなる所定形状の複写不能部が施されてなることを特徴とする。
【０００８】
また、好ましい本発明の感圧複写下用紙は、上記複写不能部の形状がマイクロ文字、線条、繰り返し模様などの微細パターンであることを特徴とする。
【０００９】
さらに、本発明の感圧複写帳票は、所定形状の複写不能部が施された顕色剤層表面所定部に情報複写部を有した上記感圧複写下用紙からなる下位帳票と、表面に前記情報複写部に対応した情報記入部を有した感圧複写上用紙からなる上位帳票とを分離可能に綴じ合わせてなる。
【００１０】
感圧複写下用紙の顕色剤層への所定形状の複写不能部の形成は、レーザ照射装置に入力された所定の形状データに基づき、該顕色剤層に対してレーザ光を照射することにより行われる。選択的にレーザ照射を受けた部分の顕色剤は燃焼もしくは昇華して瞬時に削り取られ、これにより所定形状の複写不能部が施される。
【００１１】
所定形状の複写不能部は、複写記入欄の大きさ、すなわち記入文字の大きさにによるが、通常は複写情報を判読し難くさせない程度の微細のものが好ましい。したがって、マイクロ文字、線条、繰り返し模様などの微細パターンが好適である。このような形状の複写不能部が形成されると、複写情報に微細パターンなどからなる白抜き画像が組み込まれるため、改ざんが困難であると共にコピー機により現出し難く偽造も困難となる。
【００１２】
【発明の実施形態】
以下、本発明を好適な実施例に基づき詳細に説明する。なおここにおいて、図１は本発明の感圧複写下用紙の表面平面図および付帯の部分拡大図、図２は図１の部分拡大図の概略的断面説明図、図３は本発明の感圧複写帳票の分解説明図、図４は感圧複写下用紙に施された複写情報の拡大説明図、図５は顕色剤層への所定形状の複写不能部の形成方法説明図である。
【００１３】
図１に示すように、本発明の感圧複写下用紙１の基本構成は、基体シートＦの裏面に顕色剤層Ｃが施され、かつ、付帯の部分拡大図が示すように、顕色剤層Ｃには、レーザ照射により顕色剤が選択的に削り取られてなる所定形状の複写不能部Ｄが施されてなる。この複写不能部Ｄは、例えば、部分拡大図（イ）：マイクロ文字や（ロ）：線条（直線、波線、破線、点線等）などの微細パターンで構成され、図２に示すように、顕色剤が除去されているために複写機能を有さない。
【００１４】
次に、本発明の感圧複写帳票の実施例を挙げる。
図３に示すように、本実施例の感圧複写帳票１０は、「領収証（控）」たる本発明の感圧複写下用紙１からなる下位帳票１１と「領収証」たる感圧複写上用紙２からなる上位帳票１２とが端部でミシン線と接着剤により分離可能に綴じ合わされてなる。感圧複写下用紙１、感圧複写下用紙２の基体シートＦ表面の所定部にはタイトル、会社名、説明文などの一般情報３が施されていると共に、感圧複写上用紙２には顧客名欄、領収年月日欄、金額欄などの情報記入部４が、感圧複写下用紙１には、これに対応する情報複写部５がそれぞれ施され、もって下位帳票１１および上位帳票１２を構成している。
【００１５】
したがって、上位帳票１２の情報記入部４に所定情報を記入すると、下位帳票１１の情報複写部５に施された複写情報６には、図４に示すように、感圧複写下用紙１における顕色剤層Ｃの所定形状の複写不能部Ｄに対応した微細パターンの白抜き画像ｄ（本図では点線で表示）が組み込まれる。
【００１６】
なお、本発明における感圧複写下用紙は、顕色剤の水性塗料を基体シート表面全面に塗布して顕色剤層が施されてなるものであっても、顕色剤インクにて情報複写部を包含した所定領域にスポット的に顕色剤層が施されてなるものであっても良い。また、所定形状の複写不能部は、顕色剤層全面でも、あるいは所望の部分にのみスポット的に施されていても構わない。さらに、基体シート裏面に発色剤マイクロカプセル層を形成し、感圧複写中用紙としても構成してもよい。
【００１７】
以下、図５に基づき、顕色剤層への所定形状の複写不能部の形成方法の一例を挙げ説明する。顕色剤層Ｃへの所定形状の複写不能部の形成は、マージナル部に多数の送り孔Ｈが設けられた従来構成の感圧複写下用紙ウエブＷ（以下、ウエブＷと記す）に対して行われる。このウエブＷは、長尺の基体シートＦ表面に顕色剤インキをもってスポット的に顕色剤層Ｃが施されてなる。
【００１８】
送り孔Ｈはトラクタ装置Ｔのトラクタピンに係合しており、ウエブＷはトラクタ装置Ｔの駆動により所定方向に移送される。ウエブＷの移送経路には、可変マスクを内蔵した炭酸ガスレーザ光発振器Ｌと、これから発せられたレーザ光の進行方向を変換し可変情報を形成するため、ウエブＷの幅方向および移送方向に移動可能なプロッター機構（図示せず）に組み込まれ、回転自在に構成された二対の偏光ミラーＭ，Ｍなどが備えられている。
【００１９】
トラクタ装置ＴにはウエブＷの送り量検出用のエンコーダが連繋しており、トラクタ装置Ｔの回転量をパルス信号に変換することで送り量を検出している。変換されたパルス信号が制御部に送られると、制御部は送り量に対応するタイミング、すなわち、レーザ照射位置（この位置には焦点安定用の吸引ドラムＶが設置されている）に顕色剤層Ｃが到達した時点で、入力された形状データに基づき、レーザ光発振器Ｌと偏光ミラーＭ，Ｍの駆動部に制御信号を発し、レーザ発振と駆動を制御する。
【００２０】
このようにして、選択的にレーザ照射を受けた部分の顕色剤は瞬時に削り取られ、これにより顕色剤層Ｃに所定形状の複写不能部Ｄが施される。また、複写不能部Ｄの形状の変更は、制御部に入力された別の形状データに基づいた別の制御信号によりなされる。
【００２１】
なお、この図５に示す複写不能部の形成例では、顕色剤層への所定形状の複写不能部の形成のため、可変マスクを介してレーザ光を照射し、かつプロッター機構に組み込まれ、回転自在に構成された偏光ミラーを備えたレーザ照射装置を使用しているが、本発明はこれに限定されず、レーザ画像形成に使用される種々のタイプのレーザ照射装置が利用できる。
【００２２】
また、レーザ光照射時にレーザ光の焦点距離がブレないように、レーザ照射位置には焦点安定用の吸引ドラムＶが設置され、さらにトラクタ装置Ｔと二対のガイドロールＲ，Ｒ間にテンションを掛け、帳票が弛まないようにしているが、この方法以外でも、例えば、所定のラップアングルにて大径ロールに巻き込み、このラップ部分にレーザ照射部を設定してもよい。
【００２３】
【発明の効果】
以上説明したように、本発明の感圧複写下用紙およびこれを有した感圧複写帳票によれば、レーザ照射により顕色剤を選択的に削り取り、顕色剤層に所定形状の複写不能部を施したことで、複写情報に微細パターンなどからなる白抜き画像が組み込まれ、改ざんが困難であると共に、これはコピー機により現出し難いので偽造も困難となるといった効果を泰する。
【図面の簡単な説明】
【図１】本発明の感圧複写下用紙の表面平面図および付帯の部分拡大図。
【図２】図１の部分拡大図の概略的断面説明図。
【図３】本発明の感圧複写帳票の分解説明図。
【図４】感圧複写下用紙に施された複写情報の拡大説明図。
【図５】顕色剤層への所定形状の複写不能部の形成方法説明図。
【符号の説明】
１  感圧複写下用紙
２  感圧複写上用紙
４  情報記入部
５  情報複写部
６  複写情報
１０  感圧複写帳票
１１  下位帳票
１２  上位帳票
Ｆ  基体シート
Ｃ  顕色剤層
Ｄ  複写不能部
ｄ  白抜き画像
Ｗ  従来構成の感圧複写下用紙ウエブ
Ｌ  レーザ光発振器
Ｍ  偏光ミラー
Ｖ  吸引ドラム
【図１】
0003701099.tif 000002
【図２】
0003701099.tif 000003
【図３】
0003701099.tif 000004
【図４】
0003701099.tif 000005
【図５】
0003701099.tif 000006